(57)【特許請求の範囲】
【請求項１】
球発射装置、該球発射装置へ遊技球を送り出す整流器、遊技球を貯留する球貯留部と該球貯留部における遊技球を上記整流器へ供給するための球供給通路とを備えた球皿、及び該球皿の上方において開閉可能に配設したガラス扉を有する遊技機に対して、上記球皿の側部に隣接して、開閉可能な状態で開閉部材を配設した構造であって、
上記整流器は、上記開閉部材の裏面側に配設してあり、
上記整流器には、位置決め部が形成してあり、該整流器に対向する位置には、上記開閉部材を閉じたときに、上記位置決め部を係合させる係合部が形成してあり、
上記開閉部材は、その側端部に設けた回動支点部を、当該開閉部材の配設部位に設けた回動支持部に回動支持させて開閉可能であり、
上記開閉部材には、上記回動支持部に対する上記回動支点部の係合状態を解除して、当該開閉部材の取付け、取外しを可能にする係合解除操作部と、当該開閉部材に設けた操作部材の操作を受けて、上記整流器へ供給される遊技球を抜き出すことができる球抜き機構とが設けてあり、
上記開閉部材の上部には、上記ガラス扉を閉じたときに該ガラス扉の裏面側に位置する防犯用突出片が設けてあり、上記開閉部材は、上記ガラス扉を開けない限り開けることができなくなっており、
上記開閉部材の配設部位には、該開閉部材の固定及び該固定の解除が可能なロック部材が配設してあり、該ロック部材の操作部は、上記ガラス扉を閉じたときに該ガラス扉の裏面側に位置していることにより、該ガラス扉を開けない限り操作できなくなっていることを特徴とする遊技機の開閉部材の構造。
【請求項２】
請求項１において、上記開閉部材には、遊技者が操作する演出用スイッチが配設してあると共に、当該開閉部材に加わる荷重を上記球皿によって受けるための荷重受け部が形成してあることを特徴とする遊技機の開閉部材の構造。
【発明の詳細な説明】
【技術分野】
【０００１】
本発明は、遊技機における球皿の近傍に配設した開閉部材の構造に関する。
【背景技術】
【０００２】
パチンコ遊技機等の遊技機において、この遊技機の前面において遊技球を貯留する球皿の周辺には、遊技球を遊技盤における遊技領域へ発射させる球発射装置、この球発射装置へ供給する遊技球の位置決めを行う発射レール、球発射装置へ１球ずつ遊技球を送り出す整流器等が配置してある。そして、これらの機能部品の配置により、遊技機における球皿周辺は、遊技球の発射不良等のトラブルが発生しやすい部位である。
【０００３】
そこで、例えば、特許文献１のパチンコ遊技機においては、前面枠（本体枠）における打球供給装置（整流器）の対応部分に開口部を形成し、この開口部を介して、打球発射装置における打球杆の発射動作に関わる一連の動作態様を視認できるようにしている。また、開口部には、この開口部の全体を覆い隠すカバー扉板を開閉自在に設けており、パチンコ遊技を行う通常時においては、開口部を閉じている。これにより、打球供給装置及び打球発射装置の周辺において、遊技球の発射不良等のトラブルが発生したときには、カバー扉板を開けて、このトラブルに適確に対処できるようにしている。
【０００４】
しかしながら、上記特許文献１のパチンコ遊技機においては、上記カバー扉板には、電気的機構と機械的機構とが一体的に設けられておらず、組付性が悪く、またカバー扉板単品での検査等が煩わしいという問題があった。
【０００５】
【特許文献１】特開平１１−５７１６４号公報
【発明の開示】
【発明が解決しようとする課題】
【０００６】
本発明は、かかる従来の問題点に鑑みてなされたもので、組付性に優れると共に、検査及びメンテナンスも容易である遊技機の開閉部材の構造を提供しようとするものである。
【課題を解決するための手段】
【０００７】
本発明は、球発射装置、該球発射装置へ遊技球を送り出す整流器、遊技球を貯留する球貯留部と該球貯留部における遊技球を上記整流器へ供給するための球供給通路とを備えた球皿、及び該球皿の上方において開閉可能に配設したガラス扉を有する遊技機に対して、上記球皿の側部に隣接して、開閉可能な状態で開閉部材を配設した構造であって、
上記整流器は、上記開閉部材の裏面側に配設してあり、
上記整流器には、位置決め部が形成してあり、該整流器に対向する位置には、上記開閉部材を閉じたときに、上記位置決め部を係合させる係合部が形成してあり、
上記開閉部材は、その側端部に設けた回動支点部を、当該開閉部材の配設部位に設けた回動支持部に回動支持させて開閉可能であり、
上記開閉部材には、上記回動支持部に対する上記回動支点部の係合状態を解除して、当該開閉部材の取付け、取外しを可能にする係合解除操作部と、当該開閉部材に設けた操作部材の操作を受けて、上記整流器へ供給される遊技球を抜き出すことができる球抜き機構とが設けてあり、
上記開閉部材の上部には、上記ガラス扉を閉じたときに該ガラス扉の裏面側に位置する防犯用突出片が設けてあり、上記開閉部材は、上記ガラス扉を開けない限り開けることができなくなっており、
上記開閉部材の配設部位には、該開閉部材の固定及び該固定の解除が可能なロック部材が配設してあり、該ロック部材の操作部は、上記ガラス扉を閉じたときに該ガラス扉の裏面側に位置していることにより、該ガラス扉を開けない限り操作できなくなっていることを特徴とする遊技機の開閉部材の構造にある（請求項１）。
【０００８】
本発明の遊技機の開閉部材の構造は、上記電気的機構と機械的機構とを一体的に有している。そのため、上記球皿周辺に配設された機能部品である電気的機構又は機械的機構の動作は、開閉部材単独で行うことができる。
【０００９】
そして、遊技機の組付を行う際には、球皿周辺に配設された機能部品である電気的機構及び機械的機構の組付を開閉部材において行うことができ、また、電気的機構及び機械的機構を設けた開閉部材を一括的に保管することができる。
そして、開閉部材における組付を行った後には、上記電気的機構及び機械的機構の動作の検査を、開閉部材単独で行うことができる。さらに、遊技機におけるメンテナンスを行う際にも、球皿周辺に配設された機能部品である電気的機構及び機械的機構のメンテナンスを、開閉部材において行うことができる。
【００１０】
また、本発明によれば、メンテナンスが必要な箇所を、上記開閉部材の部分のみにコンパクトにまとめることができる。つまり、本発明によれば、上記機能部品のメンテナンスを行うに際し、従来の球皿パネル開放式の遊技機とは異なり、球皿が設けられた横長長方形状の球皿パネル全体を前面に開放させてメンテナンスを行う必要がなく、開閉部材のみを開放させるだけでメンテナンスを行うことができる。これにより、遊技場等において作業者によるメンテナンスの作業性を向上させることができる。
また、本発明によれば、機能部品を開閉部材に一括的に集約して配設することができ、球皿における主要部分の設計の自由度を向上させることができる。
【００１１】
それ故、本発明によれば、組付性に優れると共に、検査及びメンテナンスも容易である遊技機の開閉部材の構造を提供することができる。
【発明を実施するための最良の形態】
【００１２】
上述した本発明における好ましい実施の形態につき説明する。
本発明において、上記電気的機構は、例えば、ソレノイド等のアクチュエータを用いて、球発射装置へ１球ずつ遊技球を送り出す整流器とすることができる。この整流器としては、電気を用いてアクチュエータを駆動し、このアクチュエータによって、１球ずつ遊技球を保持して送り出す送出カムを動作させるものとすることができる。
【００１３】
また、上記電気的機構としては、例えば、遊技機における遊技の演出を行うための演出用スイッチとすることもできる。この演出用スイッチとしては、遊技者が操作スイッチ（電気的操作ボタン、電気的操作レバー等）を操作したときに、この操作スイッチの操作を受けて所定の電気入力信号を送信するよう構成したものとすることができる。
【００１４】
また、上記機械的機構としては、例えば、遊技機の前面に配設した球皿から上記整流器へ供給される遊技球を抜き出すための球抜き機構とすることができる。この球抜き機構は、遊技者が操作する操作部材（機械的操作ボタン、機械的操作レバー）と、球皿と整流器とを連通する球供給通路を球抜き通路へ連通させるための通路構成部材とを備えたものとすることができる。そして、遊技者が操作部材を操作したときに、この操作部材の操作を受けて、通路構成部材を移動させ、球供給通路における遊技球を球抜き通路へ抜き出すことができる。
【００１５】
また、上記機械的機構としては、例えば、上記開閉部材に回動可能に配設した灰皿とすることもできる。この灰皿は、タバコの灰等を受ける受け部を備えており、この受け部を上方に向けた使用位置と、この受け部を下方に向けて灰等を除去する清掃位置とに回動可能に構成することができる。
【００１６】
上記球皿及び開閉部材の上辺部には、該球皿及び開閉部材の上方に配設したガラス扉の下辺部を上から（前面側から）重ねて配置するための球皿側鍔部を形成することができる。そして、ガラス扉の下辺部において後方へ突出して形成した扉側鍔部が、球皿側鍔部の下側に形成された凹部内に入り込むことにより、セル板等の異物をガラス扉と球皿及び開閉部材との間の隙間から挿入させて、遊技盤の遊技領域に対して不正な行為が行われることを防止することができる。また、ガラス扉を本体枠に対して開けない限り、開閉部材を開放することができないようにすることができる。
【実施例】
【００１７】
以下に、本発明の遊技機の開閉部材の構造にかかる実施例につき、図面と共に説明する。
本例の遊技機１の開閉部材５の構造は、図１に示すごとく、遊技機１の前面に配設した球皿４の近傍に、開閉可能な状態で開閉部材５を配設してなる。この開閉部材５は、球皿４の周辺において電気動作する機能部品である電気的機構（本例では、整流器６、演出用スイッチ８１）と、球皿４の周辺において機械動作する機能部品である機械的機構（本例では、球抜き機構７、灰皿８２）とを一体的に有している。
【００１８】
以下に、本例の遊技機１の開閉部材５の構造につき、図１〜図７と共に詳説する。
図１に示すごとく、本例の遊技機１は、パチンコ遊技を行うパチンコ遊技機１であり、本例の開閉部材５は、球皿４の側部に隣接して配設してある。
パチンコ遊技機１は、外枠（図示略）に対して、遊技盤２１を取り付けた本体枠２を開閉可能に配設してなる。また、本体枠２の前面側には、この本体枠２の裏面側に配設した球払出装置（図示略）から払い出した遊技球Ｂを貯留する球皿４が配設してある。本例の球皿４は、本体枠２の前面側に取り付けた前面パネル３１に配設してある。そして、前面パネル３１とこれに配設した球皿４とは、本体枠２の前面側に着脱可能な球皿ユニット３を構成している。
【００１９】
また、図１、図５に示すごとく、本体枠２の前面側における球皿ユニット３の配設位置の上方には、遊技盤２１における遊技領域を視認可能なガラス板を備えたガラス扉２５が開閉可能に配設してある。
なお、本例において、前面側とは、遊技者と対向するパチンコ遊技機１の正面側のことをいい、裏面側とは、前面側の反対側のことをいう。図１において、パチンコ遊技機１の前後方向をＤで示し、前面側をＤ１で示す。
【００２０】
上記本体枠２の裏面側（裏機構部）には、パチンコ遊技機１の裏面側における上部において遊技球Ｂを貯留する球タンク（図示略）、この球タンク内の遊技球Ｂを流下させるための球流下通路（図示略）、球流下通路から所定数の遊技球Ｂを球皿４へ払い出す球払出装置（図示略）、遊技盤２１における遊技領域へ遊技球Ｂを発射させる球発射装置２２（図５参照）等が配設してある。
図４、図５に示すごとく、球発射装置２２は、遊技球Ｂを所定の発射位置にセットするための発射球着座部材２２１と、この発射球着座部材２２１にセットした遊技球Ｂを遊技盤２１における遊技領域に向けて発射させる打球ハンマー２２２と、この打球ハンマー２２２を駆動するアクチュエータ（モータ）２２３とを備えている。
【００２１】
図１、図３に示すごとく、球皿４は、上記球払出装置から払い出された遊技球Ｂを貯留する球貯留部４１１と、この球貯留部４１１から後述する整流器６へ遊技球Ｂを供給するための球供給通路４３と、この球供給通路４３における遊技球Ｂを整流器６へ供給せずに抜き出すための球抜き通路４４とを備えている。
【００２２】
また、本例の球皿４は、上皿部４１と下皿部４２との二皿構造を有しており、球貯留部４１１及び球供給通路４３は、上皿部４１に形成してあり、球抜き通路４４は、球供給通路４３から下皿部４２における補助球貯留部４２１へと遊技球Ｂを導くよう構成してある。また、図示は省略するが、球供給通路４３には、整流器６に連通する出口端部において、開閉部材５を開けて整流器６を移動させたときに、球供給通路４３の出口端部から遊技球Ｂが零れ落ちることを防止するシャッター機構が設けてある。
【００２３】
また、図３に示すごとく、本体枠２の前面側には、整流器６から送り出された遊技球Ｂを、発射球着座部材２２１へ導く送出通路２３が形成してある。また、前面パネル３１には、開閉部材５を球皿ユニット３に対して開けたときに、送出通路２３の周辺及び発射球着座部材２２１の周辺を、露出させるための露出用貫通穴３１２が形成してある。また、前面パネル３１には、整流器６における電気ケーブル及び演出用スイッチ８１における電気ケーブルを、本体枠２における制御装置へ配線するための配線用貫通穴３１３も形成してある。
【００２４】
図２、図３に示すごとく、本例の開閉部材５は、球皿ユニット３において、本体枠２における送出通路２３の周辺及び球発射装置２２における発射球着座部材２２１の周辺の前面側に配設してある。開閉部材５を球皿ユニット３に対して開けたときには、送出通路２３の周辺及び発射球着座部材２２１の周辺をパチンコ遊技機１における前面側に露出させることができる。
【００２５】
また、図１、図２に示すごとく、本例の開閉部材５は、電気的機構としての整流器６及び演出用スイッチ８１と、機械的機構としての球抜き機構７及び灰皿８２とを一体的に備えている。
より具体的には、本例の開閉部材５は、上記電気的機構として、アクチュエータ（ソレノイド）６２を用いて、球発射装置２２へ１球ずつ遊技球Ｂを送り出す整流器６と、パチンコ遊技機１における遊技の演出を行うための演出用スイッチ８１とを備えている。
【００２６】
図４、図５に示すごとく、整流器６は、球供給通路４３から１球ずつ遊技球Ｂを受け取り、この遊技球Ｂを球発射装置２２における発射球着座部材２２１へ送り出す送出カム６１と、この送出カム６１を電気的に駆動するアクチュエータ６２とを、ケース６３内に配置してなる。そして、アクチュエータ６２の電気ケーブルは、本体枠２に配設した制御装置に配線してあり、整流器６における全構成部品は、開閉部材５に配設してある。
【００２７】
また、図５に示すごとく、演出用スイッチ８１は、遊技者が操作するスイッチ操作部８１１と、このスイッチ操作部８１１の操作を受けて上記制御装置へ所定の電気入力信号を送信するよう構成したスイッチ本体８１２とを備えている。スイッチ本体８１２の電気ケーブルは、制御装置に配線してあり、演出用スイッチ８１における全構成部品は、開閉部材５に配設してある。
【００２８】
図１、図６に示すごとく、本例の開閉部材５は、上記機械的機構として、パチンコ遊技機１の前面に配設した球貯留部４１１から上記整流器６へ供給される遊技球Ｂを整流器６へ供給せずに抜き出すための球抜き機構７と、当該開閉部材５に回動可能に配設した灰皿８２とを備えている。
図６に示すごとく、上記球抜き機構７は、遊技者が操作する操作部材７１と、上記球供給通路４３を上記球抜き通路４４へ連通させるための通路構成部材７２とを備えている。そして、球抜き機構７における全構成部品は、開閉部材５に配設してある。
【００２９】
同図に示すごとく、本例の操作部材７１は、球抜き操作ボタンであり、開閉部材５の内部に設けた案内部（図示略）によって、パチンコ遊技機１の前後方向Ｄへスライド可能である。本例の通路構成部材７２は、操作部材７１の押込み操作を受けて回動するよう構成してある。通路構成部材７２は、操作部材７１と係合する被係合部７２１と、球供給通路４３の出口部５２と球抜き通路４４の入口部５３との間に配置した通路開閉部７２２とを備えている。
本例の開閉部材５には、球皿４に形成した球供給通路４３に連通する球供給通路４３の出口部５２と、球皿４に形成した球抜き通路４４に連通する球抜き通路４４の入口部５３とが形成してある。
【００３０】
そして、図６に示すごとく、操作部材７１を押込み操作していないときには、開閉部材５において、通路開閉部７２２が球供給通路４３の出口部５２と球抜き通路４４の入口部５３との間を閉じており、球供給通路４３を通過する遊技球Ｂは整流器６へと送られる。一方、図７に示すごとく、操作部材７１を押込み操作したときには、通路開閉部７２２が球供給通路４３の出口部５２と球抜き通路４４の入口部５３との間から退避することにより、これらの間が連通され、球供給通路４３を通過する遊技球Ｂは球抜き通路４４へと抜き出される。また、球抜き通路４４へ抜き出された遊技球Ｂは、補助球貯留部４２１へ抜き出すことができる。
【００３１】
なお、操作部材７１は、この操作部材７１を操作していない通常時においては、付勢バネ（図示略）によってパチンコ遊技機１の前方へ付勢されている。また、通路構成部材７２は、上記通常時において、上記付勢バネによって球供給通路４３の出口部５２と球抜き通路４４の入口部５３との間を閉じる方向に付勢されている。そして、操作部材７１を付勢バネの付勢力に抗して押し込むことにより、通路構成部材７２が回動して出口部５２と入口部５３との間を連通させることができる。
【００３２】
図１に示すごとく、本例の灰皿８２は、タバコの灰等を受ける受け部８２１を備えており、この受け部８２１を上方に向けた使用位置と、この受け部８２１を下方に向けた回動位置とに回動可能である。そして、パチンコ遊技機１を喫煙席とする場合には、灰皿８２を使用位置に位置させておき、パチンコ遊技機１の管理者等が清掃を行う際に、灰皿８２を清掃位置に移動させて、受け部８２１内に溜まったタバコの灰等を取り出すことができる。一方、パチンコ遊技機１を禁煙席とする場合には、灰皿８２を、別途、固定機構（図示略）によって清掃位置に維持しておくことができる。
【００３３】
図１、図２に示すごとく、本例の球皿ユニット３は、球皿４と、この球皿４の側部に隣接して配設した開閉部材５とを一体的に有している。本例の開閉部材５には、前面パネル３１における側端部の上下に回動支点部５１が形成してあり、球皿ユニット３には、回動支点部５１を支持する回動支持部３２が形成してある。図１、図２において、上下方向をＨによって示し、左右方向をＷによって示す。
【００３４】
本例の開閉部材５を開けたときには、この開閉部材５は横方向へ回動するため、この開閉部材５が下方へ回動することがない。これにより、開閉部材５の下方位置に、パチンコ遊技機１から抜き出した遊技球Ｂを受け取るための球箱を配置したときでも、この球箱に開閉部材５が干渉してしまうことを防止することができる。
【００３５】
ところで、回動支点部５１を開閉部材５の下端部の左右に設けた場合には、開閉部材５を開けるときにこの開閉部材５に設けた灰皿８２から灰がこぼれるおそれがある。これに対し、本例では、回動支点部５１を開閉部材５の側端部の上下に設けているため、開閉部材５に設けた灰皿８２から灰がこぼれることを防止することができる。
【００３６】
また、図２に示すごとく、開閉部材５には、回動支持部３２に対する回動支点部５１の係合状態を解除するための係合解除操作部５５が設けてある。開閉部材５は、係合解除操作部５５を操作して球皿ユニット３へ取り付けることができると共に、係合解除操作部５５を操作して球皿ユニット３から取り外すこともできる。
【００３７】
図５に示すごとく、球皿ユニット３における前面パネル３１の上辺部には、ガラス扉２５の下辺部を上から（前面側から）重ねて配置するためのユニット側鍔部３３が形成してある。このユニット側鍔部３３は、球皿ユニット３の前方に向けて突出形成してある。そして、ガラス扉２５の下辺部において後方へ突出して形成した扉側鍔部２５１が、ユニット側鍔部３３の下側に形成された凹部３３１内に入り込むことにより、セル板等の異物をガラス扉２５と球皿ユニット３との間の隙間から挿入させて、遊技盤２１の遊技領域に対して不正な行為が行われることを防止させる機能を持たせつつ、球皿ユニット３における上記取付具２４は、ガラス扉２５を本体枠２に対して開けない限り、操作できないように構成させている。
【００３８】
また、図１〜図３に示すごとく、本例の開閉部材５の上辺部には、上記前面パネル３１の上辺部に形成した凹部３３１に設けた収納部３３２内に収納させる防犯用突出片５４が形成してある。この防犯用突出片５４は、パチンコ遊技機１における後方に向けて突出する後方突出部５４１とこの後方突出部５４１の後端から上方へ屈曲形成した屈曲部５４２とを有している。
【００３９】
そして、ガラス扉２５を本体枠２に対して閉じたときには、ガラス扉２５における扉側鍔部２５１は、ユニット側鍔部３３の下側における凹部３３１に入り込むと共に、開閉部材５における防犯用突出片５４の屈曲部５４２の前方に位置する。これにより、仮に遊技者等が不正に後述するロック部材３４を操作することができた場合でも、ガラス扉２５を本体枠２に対して開けない限りは、開閉部材５を球皿ユニット３に対して開けることができなくなっており、防犯性を向上させている。
また、上記構成により、開閉部材５を本体枠２に対して閉じなければガラス扉２５が閉じられないようにできるので、通常時における開閉部材５の閉め忘れを防止することができる。
【００４０】
図２に示すごとく、球皿ユニット３には、開閉部材５を球皿ユニット３における正規取付位置に固定するためのロック部材３４が配設してある。このロック部材３４は、パチンコ遊技機１の管理者が操作する操作部３４１と、開閉部材５に設けた被ロック部５６に係合するロック部３４２と、通常時、ロック部３４２を被ロック部５６と係合する方向に付勢させる付勢バネ３４３（図５参照）とを有している。
【００４１】
本例のロック部材３４は、上下にスライド可能であり、操作部３４１を下方へ押込み操作したときに、下方へスライドして、開閉部材５における被ロック部５６に対するロック部３４２の係合状態を解除することができる。
また、ロック部材３４における操作部３４１は、球皿ユニット３における前面パネル３１の裏面側に配置してあり、ガラス扉２５を本体枠２に対して開けない限り操作できなくなっている。また、操作部３４１が前面パネル３１の裏面側に配置してあるので、その部分のユニット側鍔部３３及び凹部３３１を別途切り欠く必要がなくなり、防犯性の低下を防ぐようになっている。
【００４２】
図２〜図４に示すごとく、本例の開閉部材５に配設した整流器６の裏面側には、本体枠２に配設した球発射装置２２における発射球着座部材２２１に対する整流器６の位置決めを行うための位置決め突起６３１が形成してある。
また、本例の本体枠２には、上記位置決め突起６３１を係合させる係合凹部２６が形成してあり、球皿ユニット３における前面パネル３１には、係合凹部２６の対応箇所に位置決め突起６３１との干渉を避けるための退避用貫通穴３１１が形成してある。そして、開閉部材５を球皿ユニット３に対して閉じたときには、整流器６における位置決め突起６３１が退避用貫通穴３１１を介して、本体枠２における係合凹部２６に係合する。これにより、本体枠２側に配設された発射球着座部材２２１に対する整流器６の位置決めを安定して行うことができるので、遊技球Ｂの発射球着座部材２２１への供給が安定する。
【００４３】
また、図２、図３に示すごとく、開閉部材５には、この開閉部材５を球皿ユニット３に対して閉じたときに、開閉部材５に加わる荷重を、球皿ユニット３における球皿４によって受けるための荷重受け部５７が形成してある。また、球皿４には、荷重受け部５７を支持するための荷重支持部４５が形成してある。本例の荷重受け部５７は、開閉部材５において、球皿４と対向する側の側部に突起として形成してあり、本例の荷重支持部４５は、凹部として形成してある。本例の荷重支持部４５は、下皿部４２に形成してある。
【００４４】
ところで、本例の開閉部材５には、上記演出用スイッチ８１が配設してあり、この演出用スイッチ８１には、遊技者の操作によって大きな衝撃荷重等が加わる。これに対し、開閉部材５に上記荷重受け部５７を形成し、これを上記荷重支持部４５によって支持することにより、開閉部材５に加わる大きな衝撃荷重等を受けることができる。そのため、遊技者による大きな衝撃荷重等を受けて開閉部材５が、その球皿ユニット３に対する取付部において破壊してしまうことを防止することができる。
【００４５】
図１、図２に示すごとく、球皿ユニット３における前面パネル３１の上辺部には、球皿ユニット３を本体枠２における前面側に取り付けるための取付具２４が配設してある。この取付具２４は、前面パネル３１における左右方向Ｗにスライド可能であり、前面パネル３１における左右に一対に配設してある。取付具２４には、本体枠２に形成した被係合部に係合する係合部が形成してあり、被係合部に対する係合部の係合状態は、バネによる付勢力を受けて維持されるよう構成してある。そして、球皿ユニット３を本体枠２における前面側に取り付けるときには、作業者は一対の取付具２４をスライド操作し、このスライド操作を解除したときには、被係合部に係合部が係合して、球皿ユニット３を本体枠２に安定して取り付けておくことができる。
【００４６】
本例のパチンコ遊技機１の開閉部材５の構造は、上記電気的機構としての整流器６及び演出用スイッチ８１と、機械的機構としての球抜き機構７及び灰皿８２とを一体的に有している。そのため、整流器６、演出用スイッチ８１、球抜き機構７及び灰皿８２の各動作は、開閉部材５において行うことができる。
【００４７】
そして、パチンコ遊技機１の組付を行う際には、整流器６、演出用スイッチ８１、球抜き機構７及び灰皿８２の組付を、開閉部材５において行うことができる。また、整流器６、演出用スイッチ８１、球抜き機構７及び灰皿８２を設けた開閉部材５を一括的に保管することができる。
【００４８】
そして、開閉部材５における組付を行った後には、整流器６、演出用スイッチ８１、球抜き機構７及び灰皿８２の各動作の検査を、開閉部材５のみの単独で行うことができる。また、整流器６の動作の検査においては、整流器６単独において、アクチュエータ６２による送出カム６１の送出動作の検査を行うことができる。
また、パチンコ遊技機１におけるメンテナンスを行う際にも、整流器６、演出用スイッチ８１、球抜き機構７及び灰皿８２のメンテナンスを、開閉部材５において行うことができる。
【００４９】
さらに、本例の球皿ユニット３においては、上皿部４１における球供給通路４３から整流器６への遊技球Ｂの供給動作、整流器６における遊技球Ｂの送出動作、球皿ユニット３に対する開閉部材６の開閉動作、球供給通路４３の出口端部に設けたシャッター機構の動作等の各検査を、本体枠２に組み付ける前の状態で行うことができる。そのため、球皿ユニット３における各機能部品の動作の検査を容易に行うことができる。
【００５０】
また、本例によれば、メンテナンスが必要な箇所を、上記開閉部材５の部分のみにコンパクトにまとめることができる。つまり、本例によれば、上記整流器６、演出用スイッチ８１、球抜き機構７及び灰皿８２のメンテナンスを行うに際し、従来の球皿パネル開放式の遊技機とは異なり、球皿４が設けられた横長長方形状の球皿ユニット３の全体を前面に開放させてメンテナンスを行う必要がなく、開閉部材５のみを開放させるだけでメンテナンスを行うことができる。これにより、遊技場等において作業者によるメンテナンスの作業性を向上させることができる。
また、本例によれば、上記整流器６、演出用スイッチ８１、球抜き機構７及び灰皿８２を開閉部材５に一括的に集約して配設することができ、球皿４における主要部分の設計の自由度を向上させることができる。
【００５１】
それ故、本例によれば、組付性に優れると共に、検査及びメンテナンスも容易であるパチンコ遊技機１の開閉部材５の構造を提供することができる。
【００５２】
本例の構造は、パチンコ遊技機だけでなく、アレンジボール遊技機、遊技球を遊技媒体に使用するスロットマシン等の各種遊技機に使用可能である。
また、電気的機構及び機械的機構は、上述した構造のものに限定されることはなく、適宜、別の構造を採用することもできる。
【図面の簡単な説明】
【００５３】
【図１】実施例における、開閉部材を配設した球皿ユニットを示す斜視図。
【図２】実施例における、球皿ユニットに対して開閉部材を開けた状態を示す斜視図。
【図３】実施例における、球皿ユニットに対して開閉部材を開けた状態を示す正面図。
【図４】実施例における、本体枠に対して開閉部材における整流器の位置決めを行った状態を、パチンコ遊技機の上方から見た状態で示す断面説明図。
【図５】実施例における、本体枠における球発射装置の周辺と、開閉部材における整流器の周辺とを、パチンコ遊技機の側方から見た状態で示す断面説明図。
【図６】実施例における、操作前の球抜き機構を示す斜視説明図。
【図７】実施例における、操作時の球抜き機構を示す斜視説明図。
【符号の説明】
【００５４】
１  パチンコ遊技機
２  本体枠
２２  球発射装置
３  球皿ユニット
３１  前面パネル
４  球皿
５  開閉部材
６  整流器
７  球抜き機構
８１  演出用スイッチ
８２  灰皿
Ｂ  遊技球
【図１】
0004831678.tif 000002
【図２】
0004831678.tif 000003
【図３】
0004831678.tif 000004
【図４】
0004831678.tif 000005
【図５】
0004831678.tif 000006
【図６】
0004831678.tif 000007
【図７】
0004831678.tif 000008